(57)【要約】【課題】走行中の冷却性能を改善する。【解決手段】オフロード用タイヤ１０は、カーカスと、カーカスの半径方向外側に位置するトレッド１２と、を有している。トレッドは、トレッドの内側から半径方向外側に延び第１のトレッド横縁部１３と第２のトレッド横縁部１４との間に位置する複数のラグを有し、ラグの第１の列３０は一方のトレッド横縁部１３から軸線方向内側に中央面に向かって延び、ラグの第２の列４０は他方のトレッド横縁部１４から軸線方向内側に中央面に向かって延びており、第１及び第２の列のラグは複数の肩部溝２２，２４によって互いに分離されており、ラグの第３の列５０はラグの第１の列３０と第２の列４０との間に位置し、各列の全てのラグは円周方向に揃えられており、ラグの第３の列５０は溝によって形成される２以上の端部を有している。【選択図】図２
2010042806.tif 000002
【特許請求の範囲】
【請求項１】
カーカスと、前記カーカスの半径方向外側に位置するトレッドと、を有し、
前記トレッドは、前記トレッドの内側から半径方向外側に延び第１のトレッド横縁部と第２のトレッド横縁部との間に位置する複数のラグを有し、前記ラグの第１の列は一方の前記トレッド横縁部から軸線方向内側に中央面に向かって延び、前記ラグの第２の列は他方の前記トレッド横縁部から前記軸線方向内側に前記中央面に向かって延びており、前記第１及び第２の列の前記ラグは複数の肩部溝によって互いに分離されており、前記ラグの第３の列は前記ラグの前記第１の列と前記第２の列との間に位置し、各列の全ての前記ラグは円周方向に揃えられており、前記ラグの前記第３の列は溝によって形成される２以上の端部を有している、オフロード用タイヤ。
【請求項２】
前記第３の列の前記ラグは、前記溝によって形成される軸線方向内側端部と軸線方向外側端部とを有している、請求項１に記載のオフロード用タイヤ。
【請求項３】
前記第３の列の前記ラグは、前記溝によって形成される半径方向内側端部と半径方向外側端部とを有している、請求項１に記載のオフロード用タイヤ。
【請求項４】
前記第３の列の前記ラグは、前記肩部溝と交差している、請求項１に記載のオフロード用タイヤ。
【請求項５】
カーカスと、前記カーカスの半径方向外側に位置するトレッドと、を有し、
前記トレッドは、第１のトレッド横縁部から延び中央面と交差しない複数の溝からなる第１の列と、第２のトレッド横縁部から前記中央面に向かって延びるが前記中央面と交差しない、円周方向に互いに揃えられた複数の溝からなる第２の列と、を有している、オフロード用タイヤ。
【発明の詳細な説明】
【技術分野】
【０００１】
本発明は、空気入りタイヤに関し、特に、例えば土木工事用大型機械やリジッドホールダンプトラックなどの建設用車輛に用いられる、超大型で幅広のタイヤに関する。
【背景技術】
【０００２】
直径が１２７ｃｍ（５０インチ）以上の超大型タイヤでは、非常に大きなタイヤ負荷やオフロード条件のために、タイヤの作動条件は苛酷である場合がある。さらに、車輛の速度が高い場合もあり、その場合タイヤ内に過度の熱の蓄積が生じる場合がある。
【先行技術文献】
【特許文献】
【０００３】
【特許文献１】米国特許第６９２９０４４号明細書
【特許文献２】欧州特許出願公開第０４２３０５９号明細書
【発明の概要】
【発明が解決しようとする課題】
【０００４】
従って、走行中の冷却性能がより改善されたタイヤが望まれている。
【課題を解決するための手段】
【０００５】
本発明の一実施態様に係るオフロード用タイヤは、カーカスと、カーカスの半径方向外側に位置するトレッドと、を有している。トレッドは、トレッドの内側から半径方向外側に延び第１のトレッド横縁部と第２のトレッド横縁部との間に位置する複数のラグを有し、ラグの第１の列は一方のトレッド横縁部から軸線方向内側に中央面に向かって延び、ラグの第２の列は他方のトレッド横縁部から軸線方向内側に中央面に向かって延びており、第１及び第２の列のラグは複数の肩部溝によって互いに分離されており、ラグの第３の列はラグの第１の列と第２の列との間に位置し、各列の全てのラグは円周方向に揃えられており、ラグの第３の列は溝によって形成される２以上の端部を有している。
【０００６】
また、本発明の他の実施態様に係るオフロード用タイヤは、カーカスと、カーカスの半径方向外側に位置するトレッドと、を有し、トレッドは、第１のトレッド横縁部から延び中央面と交差しない複数の溝からなる第１の列と、第２のトレッド横縁部から中央面に向かって延びるが中央面と交差しない、円周方向に互いに揃えられた複数の溝からなる第２の列と、を有している。
【発明の効果】
【０００７】
本発明によれば、上記課題を解決することができる。
【図面の簡単な説明】
【０００８】
【図１】本発明のタイヤの斜視図である。
【図２】本発明のタイヤの正面図である。
【図３】本発明のタイヤの側面図である。
【図４】タイヤの踏面の拡大正面図である。
【図５】本発明の第２の実施形態に係るタイヤの正面図である。
【図６】本発明の第３の実施形態に係るタイヤの正面図である。
【発明を実施するための形態】
【０００９】
本明細書で用いられる用語の定義を以下に示す。
【００１０】
「アスペクト比」は、タイヤの断面高さの断面幅に対する比を意味する。
【００１１】
「軸線方向の」および「軸線方向に」は、タイヤの回転軸に平行なラインまたは方向を意味する。
【００１２】
「ビード」または「ビードコア」は一般に、タイヤの、環状の引張り部材を有する部分を意味し、半径方向内側ビードはタイヤのリムへの保持に関連し、プライコードで覆われ形成される。フリッパー、チッパ、頂部（エイペックス）またはフィラー、トウガード、チェーファーのような他の補強部材を有することもあれば、有しないこともある。
【００１３】
「ベルト構造」または「補強ベルト」は、トレッドの下に位置し、ビードには固定されず、タイヤの赤道面に対して１７°〜２７°の範囲の左コード角度および右コード角度を有する、織物または不織布の互いに平行なコードからなる少なくとも２つの環状の層またはプライを意味する。
【００１４】
「バイアスプライタイヤ」は、カーカスプライ内の補強コードが、ビードからビードまでタイヤを対角方向に横切ってタイヤの赤道面に対して約２５°〜６５°の角度で延び、プライコードが隣接する層同士で互いに逆の角度に延びることを意味する。
【００１５】
「ブレーカ」または「タイヤブレーカ」は、ベルトまたはベルト構造、あるいは補強ベルトと同じことを意味する。
【００１６】
「カーカス」は、タイヤプライ材料と、円筒状または環状に継ぎ合わすのに適した長さに切断されるかまたはすでに円筒状または環状に継ぎ合わされた他のタイヤ構成部材と、の積層体を意味する。加硫して成型タイヤを作る前にカーカスに他の部材を加えることもできる。
【００１７】
「周方向の」は、軸線方向に垂直な環状のトレッドの表面の周縁に沿って延びるラインまたは方向を意味する。また、断面図で見たときに、半径がトレッドの軸線方向の湾曲を形成する、複数の組の互いに隣接する円曲線の方向を指すこともある。
【００１８】
「コード」は、プライを補強するのに使用される、繊維を含む補強ストランドの１つを意味する。
【００１９】
「インナーライナ」は、チューブレスタイヤの内面を形成し、膨張する流体をタイヤ内に閉じ込めるエラストマまたは他の材料の層を意味する。
【００２０】
「インサート」は、通常ランフラットタイヤ型タイヤのサイドウォールを補強するのに使用される補強部材を意味し、また、トレッドの下方に位置する弾性インサートを指すこともある。
【００２１】
「ネット／グロス比」は、タイヤ踏面内にあるトレッドの全面積に対する、タイヤ踏面内にあるトレッドの路面接触部分の面積の比率を意味する。
【００２２】
「プライ」は、エラストマで覆われ、半径方向に展開されるか、半径方向に展開されていない場合は互いに平行なコードのコード補強層を意味する。
【００２３】
「半径方向の」および「半径方向に」は、半径方向にタイヤの回転軸に向かい、または半径方向に回転軸から離れる向きを意味する。
【００２４】
「ラジアルプライ構造」は、少なくとも１つのプライが、タイヤの赤道面に対して６５°から９０°の間の角度に向けられた補強コードを有する、１つまたは２つ以上のカーカスプライを意味する。
【００２５】
「ラジアルプライタイヤ」は、ビードからビードへ延びるプライコードが、タイヤの赤道面に対して６５°から９０°の間のコード角度に配置された、ベルト付きのまたは周方向に制限された空気入りタイヤを意味する。
【００２６】
「サイドウォール」は、タイヤの、トレッドとビードとの間の部分を意味する。
【００２７】
「層構造」は、インナーライナ、サイドウォール、及び任意設置のプライ層などの、タイヤの１以上の層またはエラストマ要素からなる未加硫の構造物を意味する。
【００２８】
図１〜４は、本発明の第１の実施形態に係るタイヤ１０を示している。タイヤは約８９ｃｍ（３５インチ）以上の公称リム直径を有することができる。タイヤ１０は、軸線方向外側の横縁部１３，１４で終端する、地面に噛み合う外側トレッド部１２を有している。サイドウォール１５はトレッドの横縁部１３，１４から半径方向内側に延び、環状のビードコア（図示せず）を備えた一対のビード部で終端している。タイヤ１０はさらに、ビード領域からビード領域へと延びる補強プライ構造（図示せず）を有するカーカスを備えている。タイヤはさらに、当業者には周知であるブレーカその他のタイヤ要素を含んでいてもよい。
【００２９】
タイヤトレッド１２は好ましくは、方向性を持たないトレッドパターンを備えている。トレッド１２は２つの肩部溝２２，２４の列を備え、肩部溝の各列は対応する横縁部１３，１４からトレッドの中央面に向かって延びている。肩部溝２２，２４はトレッドの中央面を横切ってはおらず、角度θ１，θ２で傾いている。第１の列の肩部溝２２は第２の列の肩部溝２４に対して周方向にずらされ、あるいは互い違いにされている。第１の列の肩部溝２２は第２の列の肩部溝と類似の形状であり、第２の列に対して位相が約１８０度回転した方向に傾いている。肩部溝は深く、その深さは、ノンスキッドトレッド深さ、すなわちＮＳＫの７０〜１００％である。肩部溝２２，２４は約３０度から６０度の範囲、より好ましくは約４０度から５０度の範囲の角度θ１，θ２で傾いている。大きな溝の傾き角度により、前進方向及び横方向へのトラクションが与えられる。
【００３０】
トレッドはさらに、３つのラグ列に分割されている。ラグの第１の列３０は、横縁部１３から軸線方向内側に第１のサイプ３５まで延びるラグからなっている。列３０の各ラグは２つの肩部溝２２の間に位置し、溝２２と同じ方向に傾いている。第１の溝３５は肩部溝２２をつなぐラグを横断して円周方向に延びている。第１の溝３５の深さはＮＳＫの約５０％から約８０％の間で変動し、より好ましくはＮＳＫの約７５％である。第１の溝の幅は約０．６４ｃｍ（約０．２５インチ）であるが、その大きさは変動してもよい。
【００３１】
トレッドはさらに、円周方向に互いに離れたラグの第２の列４０を有している。第２の列は反対側のトレッド横縁部１４から軸線方向内側に第２のサイプ４５まで延びるラグからなっている。各ラグ４０は２つの肩部溝２４の間に位置している。第２の溝４５は肩部溝２４をつなぐラグ４０を横断して円周方向に延びている。第２の溝４５の深さはＮＳＫの約５０％から約８０％の間で変動し、より好ましくはＮＳＫの約７５％である。第２の溝の幅は約０．６４ｃｍ（約０．２５インチ）であるが、その大きさは変動してもよい。
【００３２】
トレッドはさらに、円周方向に互いに離れた中央ラグの第３の列５０を有している。中央ラグ５０は互いに同じ大きさでもよいし、そうでなくてもよい。図２に示すように、中央ラグは、同様の形状でラグサイズの異なるＡ，Ｂパターンが交互に現われている。ラグはその軸線方向外側の両端が、溝３５と溝４５とによって画定されている。ラグはさらに第３の溝５５と第４の溝６０とによって画定されている。第３の溝５５及び第４の溝６０は好ましくはジグザグ形状または非線形形状であり、インターロック（噛み合い）特性を与える。第３の溝５５及び第４の溝６０は好ましくは、円周面と平行に揃えられた部分５７，６２を有している。第３の溝５５及び第４の溝６０はまた、軸線方向に対して３０度から４５度の範囲で傾いている。溝３５，４５，５５，６０は溝２０，２４とともに、中央ラグ５０の周りに空気の冷却経路を形成し、ラグを冷却するように作用する。溝は、ラグの表面の任意の点において当該任意の点から溝までの距離が最小化されるように互いに離して設けられ、ラグの周りの冷却面積を最大化する。
【００３３】
ラグの中央列５０は不規則かつ非対称な形状を有し、多数の角部を備えている。少なくともラグの２つの境界線あるいは溝が、互いに反対向きにジグザグの形状の溝５５，６０から形成されている。中央ラグ列の軸線方向幅は、トレッドの両側縁部間の軸線方向幅の約５０％〜約７５％である。肩部溝の外側縁部は中央ラグまで延びており、そのため中央ラグの形状が不規則となっている。
【００３４】
タイヤの全体的なネット／グロス比は約６０から約８０の間にあり、より好ましくは約６５から約７５の間にあり、最も好ましくは約６８から約７２の間にある。
【００３５】
図５は、本発明の第２の実施形態に係るタイヤを示している。タイヤトレッドは、以下に述べる点を除き、上述した全ての特徴を備えている。溝５５，６０は互いに平行な溝７０，８０に置き換えられている。溝３５，４５もまた互いに平行であってよい。中央ラグの大きさは完全に同一でないとしても、互いにほぼ同じである。中央ラグ５０は形状が不規則でありかつ非対称である。中央ラグは大きく、その幅はタイヤトレッドの幅の約５０％から約７５％の間で変動してよい。中央ラグは軸線方向に対して傾いている。肩部溝は中央ラグに対向し、あるいは中央ラグの中まで延びている。各中央ラグは、互いに平行な直線状の溝７０，８０によって画定され、肩部溝２２，２４の一部によっても画定されている。中央ラグはさらに溝３５，４５によって画定されている。
【００３６】
図６は、図４と同様な実施形態を示しているが、中央ラグは大きさが互いにより近似している。溝の位置にもわずかな違いがある。
【符号の説明】
【００３７】
１０  タイヤ
１２  タイヤトレッド
１３，１４  横縁部
１５  サイドウォール
２２，２４  肩部溝
３０  ラグの第１の列
３５  第１のサイプ
４５  第２のサイプ
４０  ラグの第２の列
５０  ラグの中央列（ラグの第３の列）
５５  第３の溝
６０  第４の溝
７０，８０  溝
【図１】
2010042806.tif 000003
【図２】
2010042806.tif 000004
【図３】
2010042806.tif 000005
【図４】
2010042806.tif 000006
【図５】
2010042806.tif 000007
【図６】
2010042806.tif 000008